(57)【要約】【課題】発電面に照射される太陽光により発電を行う太陽光発電パネルを備える太陽光発電装置において、パネルの向きが発電優先の向きから変更された場合に、パネルにより反射される太陽光を有効に利用する。【解決手段】太陽光発電装置２０は、発電面２５Ａ，２５Ｂ，２６Ａ，２６Ｂに照射される太陽光により発電を行う太陽光発電パネル２５と、太陽光に対するパネル２５の向きを変更可能とする回転軸２４とを備える。回転軸２４を中心としてパネル２５を回転させることにより、パネル２５の裏側面に設けられた発電面２６Ａ，２６Ｂに照射される太陽光を物干し竿２３に干される洗濯物へ反射させる反射優先向き（二点鎖線）と、反射優先向きにおけるパネル２５の発電効率よりもパネル２５の発電効率が高い発電優先向き（実線）とで、パネル２５の向きを変更可能とする。【選択図】      図２
2011243607.tif 000002
【特許請求の範囲】
【請求項１】
発電面に照射される太陽光により発電を行う太陽光発電パネルと、太陽光に対する前記パネルの向きを変更可能とする可変機構とを備える太陽光発電装置であって、
前記可変機構は、前記パネルに照射される太陽光を光反射対象へ反射させる反射優先向きと、前記反射優先向きにおける前記パネルの発電効率よりも前記パネルの発電効率が高い発電優先向きとで、前記パネルの向きを変更可能とすることを特徴とする太陽光発電装置。
【請求項２】
前記可変機構は、前記パネルの向きを反射優先向きに変更する場合に、前記パネルの前記発電面に照射される太陽光を前記光反射対象へ反射させるように、前記パネルの向きを変更することを特徴とする請求項１に記載の太陽光発電装置。
【請求項３】
前記パネルは両面に前記発電面を備え、
前記可変機構は、前記パネルの向きが前記反射優先向きに変更される場合と、前記パネルの向きが前記発電優先向きに変更される場合とで、異なる発電面に太陽光が照射されるように前記パネルの向きを変更することを特徴とする請求項２に記載の太陽光発電装置。
【請求項４】
前記パネルは南向きに配置されており、
前記可変機構は、前記パネルの向きを前記発電優先向きから前記反射優先向きに変更する場合に、前記パネルの南側の端部を北側の端部に対して相対的に上昇させるとともに、前記発電優先向きと前記反射優先向きとで同一の発電面に太陽光が照射されるように、前記パネルの向きを変更することを特徴とする請求項２に記載の太陽光発電装置。
【請求項５】
前記パネルは片面にのみ前記発電面を備え、
前記可変機構は、前記パネルの向きを反射優先向きに変更する場合に、前記パネルにおいて前記発電面と反対側の面に照射される太陽光を前記光反射対象へ反射させるように、前記パネルの向きを変更することを特徴とする請求項１に記載の太陽光発電装置。
【請求項６】
前記パネルは、前記発電面と反対側の前記面に鏡面部を備えることを特徴とする請求項５に記載の太陽光発電装置。
【請求項７】
前記パネルよりも下方に前記光反射対象が設けられており、
前記可変機構は、前記パネルの向きを反射優先向きに変更する場合に、太陽に対して前記光反射対象よりも後側となる位置で前記パネルを起立させた状態とすることを特徴とする請求項１〜６のいずれか１項に記載の太陽光発電装置。
【請求項８】
前記太陽光発電装置は、建物において太陽光が照射される日向側の側方部に設けられており、
前記可変機構は、前記パネルの向きを反射優先向きに変更する場合に、前記パネルに照射される太陽光を前記建物へ向けて反射させるように、前記パネルの向きを変更することを特徴とする請求項１〜６のいずれか１項に記載の太陽光発電装置。
【請求項９】
前記太陽光発電装置は、物干し場の近傍に設けられており、
前記可変機構は、前記パネルの向きを反射優先向きに変更する場合に、前記パネルに照射される太陽光を前記物干し場へ向けて反射させるように、前記パネルの向きを変更することを特徴とする請求項１〜７のいずれか１項に記載の太陽光発電装置。
【発明の詳細な説明】
【技術分野】
【０００１】
本発明は、太陽光発電パネルを備える太陽光発電装置に関する。
【背景技術】
【０００２】
従来、建物のバルコニーに設けられた格子状の垂直な手摺の屋内側に、可動式の太陽光発電装置を設置したものがある（例えば、特許文献１参照）。そして、この特許文献１に記載のものでは、太陽の高度に合わせて太陽光発電装置の角度を最適に調節するとともに、バルコニーに洗濯物を干す時には、太陽光発電装置を垂直に折り畳んでバルコニーの有効面積を確保している。
【先行技術文献】
【特許文献】
【０００３】
【特許文献１】実用新案登録第３０６５５４２号公報
【発明の概要】
【発明が解決しようとする課題】
【０００４】
ところで、太陽光発電装置に入射する太陽光の一部は、太陽光発電装置が備える太陽光発電パネル等によって反射されることとなる。特許文献１に記載のものでは、太陽光発電装置を垂直に折り畳んだ場合に、太陽光発電装置を最適な角度に調節した場合と比較して発電効率が低下する。このとき、太陽光発電装置により反射される太陽光は、バルコニーの手摺よりも屋外側へ照射されることとなる。
【０００５】
したがって、太陽光発電装置により反射される太陽光の利用に関して、特許文献１に記載のものは未だ改善の余地を残すものとなっている。
【０００６】
本発明は、こうした実情に鑑みてなされたものであり、発電面に照射される太陽光により発電を行う太陽光発電パネルを備える太陽光発電装置において、パネルの向きが発電優先の向きから変更された場合に、パネルにより反射される太陽光を有効に利用することを主たる目的とするものである。
【課題を解決するための手段】
【０００７】
本発明は、上記課題を解決するために、以下の手段を採用した。
【０００８】
第１の発明は、発電面に照射される太陽光により発電を行う太陽光発電パネルと、太陽光に対する前記パネルの向きを変更可能とする可変機構とを備える太陽光発電装置であって、前記可変機構は、前記パネルに照射される太陽光を光反射対象へ反射させる反射優先向きと、前記反射優先向きにおける前記パネルの発電効率よりも前記パネルの発電効率が高い発電優先向きとで、前記パネルの向きを変更可能とすることを特徴とする。
【０００９】
上記構成によれば、太陽光発電装置では、太陽光発電パネルの発電面に照射される太陽光により発電が行われる。また、可変機構によって、太陽光に対するパネルの向きを変更することができる。
【００１０】
ここで、パネルの向きが、パネルに照射される太陽光を光反射対象へ反射させる反射優先向きに変更されることにより、パネルにより反射される太陽光を光反射対象によって有効に利用することができる。また、パネルの向きが、反射優先向きにおけるパネルの発電効率よりもパネルの発電効率が高い発電優先向きに変更されることにより、パネルによる発電を優先させて発電効率を向上させることができる。
【００１１】
その結果、パネルの向きが発電優先向きから変更されて発電効率が低下する場合に、パネルにより反射される太陽光を有効に利用することができる。
【００１２】
第２の発明では、第１の発明において、前記可変機構は、前記パネルの向きを反射優先向きに変更する場合に、前記パネルの前記発電面に照射される太陽光を前記光反射対象へ反射させるように、前記パネルの向きを変更することを特徴とする。
【００１３】
上記構成によれば、パネルの向きが反射優先向きに変更された場合に、パネルの発電面に太陽光が照射されるとともに、パネルの発電面に照射される太陽光が光反射対象へ反射させられる。このため、反射優先向きにおいて、パネルの発電面に照射される太陽光により発電を行うことができるとともに、パネルの発電面により反射される太陽光を光反射対象によって有効に利用することができる。
【００１４】
第３の発明では、第２の発明において、前記パネルは両面に前記発電面を備え、前記可変機構は、前記パネルの向きが前記反射優先向きに変更される場合と、前記パネルの向きが前記発電優先向きに変更される場合とで、異なる発電面に太陽光が照射されるように前記パネルの向きを変更することを特徴とする。
【００１５】
上記構成によれば、パネルの向きが反射優先向きに変更された場合に、パネルの向きが発電優先向きである場合と異なる発電面により、太陽光を反射させることができる。このため、パネルの向きを発電優先向きと反射優先向きとで変更する自由度が高くなり、パネルの向きを反射優先向きにする場合に、太陽光を反射させる方向を柔軟に設定することができる。
【００１６】
第４の発明では、第２の発明において、前記パネルは南向きに配置されており、前記可変機構は、前記パネルの向きを前記発電優先向きから前記反射優先向きに変更する場合に、前記パネルの南側の端部を北側の端部に対して相対的に上昇させるとともに、前記発電優先向きと前記反射優先向きとで同一の発電面に太陽光が照射されるように、前記パネルの向きを変更することを特徴とする。
【００１７】
一般に、南向きに配置された太陽光発電パネルは、太陽光の照射効率を向上させるために、水平から傾いた角度に、具体的には北側の端部が南側の端部よりも高くなるように設定されている。
【００１８】
この点、上記構成によれば、発電優先向きと反射優先向きとで同一の発電面に太陽光が照射されるようにしつつ、パネルの南側の端部を北側の端部に対して相対的に上昇させることにより、パネルの向きが発電優先向きから反射優先向きに変更される。このため、パネルの発電面に照射される太陽光を反射させる構成において、反射優先向きを容易に実現することができる。
【００１９】
第５の発明では、第１の発明において、前記パネルは片面にのみ前記発電面を備え、前記可変機構は、前記パネルの向きを反射優先向きに変更する場合に、前記パネルにおいて前記発電面と反対側の面に照射される太陽光を前記光反射対象へ反射させるように、前記パネルの向きを変更することを特徴とする。
【００２０】
上記構成によれば、パネルの向きが反射優先向きに変更された場合に、パネルにおいて発電面と反対側の面に照射される太陽光が光反射対象へ反射させられる。このため、パネルの片面にのみ発電面を設けることで、両面に発電面を設ける場合と比較してコストを低減することができるとともに、パネルにおいて発電面と反対側の面を利用して太陽光を反射させることができる。
【００２１】
具体的には、第６の発明のように、第５の発明において、前記パネルは、前記発電面と反対側の前記面に鏡面部を備えるといった構成を採用することができる。こうした構成によれば、より高い反射率で太陽光を反射させることができる。
【００２２】
第７の発明のように、第１〜第６のいずれかの発明において、前記パネルよりも下方に前記光反射対象が設けられており、前記可変機構は、前記パネルの向きを反射優先向きに変更する場合に、太陽に対して前記光反射対象よりも後側となる位置で前記パネルを起立させた状態とするといった構成を採用することができる。こうした構成によれば、光反射対象の上方の空間を利用してパネルを設けることができるとともに、パネルに照射される太陽光を光反射対象へ容易に反射させることができる。
【００２３】
また、第８の発明のように、第１〜第６のいずれかの発明において、前記太陽光発電装置は、建物において太陽光が照射される日向側の側方部に設けられており、前記可変機構は、前記パネルの向きを反射優先向きに変更する場合に、前記パネルに照射される太陽光を前記建物へ向けて反射させるように、前記パネルの向きを変更するといった構成を採用することができる。こうした構成によれば、パネルにより反射される太陽光を、建物の採光や暖房に利用することができる。
【００２４】
第９の発明のように、第１〜第７のいずれかの発明において、前記太陽光発電装置は、物干し場の近傍に設けられており、前記可変機構は、前記パネルの向きを反射優先向きに変更する場合に、前記パネルに照射される太陽光を前記物干し場へ向けて反射させるように、前記パネルの向きを変更するといった構成を採用することができる。こうした構成によれば、パネルにより反射される太陽光を、物干し場に干される物を乾燥させるために利用することができる。
【図面の簡単な説明】
【００２５】
【図１】第１実施形態の太陽光発電装置の概要を示す側面図。
【図２】太陽光発電装置を示す斜視図。
【図３】太陽光発電パネルによる太陽光の反射態様を示す側面図。
【図４】太陽光発電パネルによる発電態様を示す側面図。
【図５】第２実施形態の太陽光発電装置の概要を示す側面図。
【図６】太陽光発電パネルによる太陽光の反射態様を示す側面図。
【図７】太陽光発電パネルによる太陽光の反射態様を示す側面図。
【図８】太陽光発電装置の変形例を示す側面図。
【発明を実施するための形態】
【００２６】
（第１実施形態）
以下、第１実施形態について、図面を参照しつつ説明する。本実施形態は、集合住宅のバルコニーにおいて、太陽光発電パネルにより発電を行う太陽光発電装置として具体化している。なお、集合住宅のバルコニーに限らず、独立住宅（一戸建て住宅）のバルコニーであってもよい。
【００２７】
図１は、太陽光発電装置の概要を示す側面図である。
【００２８】
同図に示すように、集合住宅の南面（太陽光が照射される日向側の側方部）に設けられたバルコニー１０には、その屋外側の端部に壁１１が設けられている。壁１１は、平板状に形成されており、バルコニー１０との結合部から垂直に上方へ延びている。バルコニー１０は、洗濯物等を干すもの干し場となっている。
【００２９】
壁１１には、太陽光発電装置２０が組み付けられている。太陽光発電装置２０は、物干し本体２１Ａ，２１Ｂ、物干し竿支持部２２Ａ，２２Ｂ、回転軸２４、太陽光発電パネル２５、ブラケット１５、及び電気配線（図示せず）を備えている。
【００３０】
図２の斜視図を併せて参照して、太陽光発電装置２０について説明する。
【００３１】
物干し本体２１Ａ，２１Ｂはそれぞれ、四角柱状に形成されており、その長手方向が鉛直方向と一致するように配置されている。物干し本体２１Ａ，２１Ｂは、東西方向に所定の間隔をおいて、それぞれブラケット１５を介して壁１１に固定されている。
【００３２】
物干し本体２１Ａ，２１Ｂの上端部には、それぞれ物干し竿支持部２２Ａ，２２Ｂが固定されている。物干し竿支持部２２Ａ，２２Ｂは、互いに等しい形状であり、略平行四辺形の平板状に形成されている。物干し竿支持部２２Ａ，２２Ｂはそれぞれ、物干し本体２１Ａ，２１Ｂとの固定部から、集合住宅の屋内方向へ斜め上方に延びている。詳しくは、物干し竿支持部２２Ａ，２２Ｂは、水平から斜め３０°上方へ延びている。
【００３３】
物干し竿支持部２２Ａ，２２Ｂにはそれぞれ、長手方向に所定の間隔をおいて、複数の貫通孔２３が形成されている。貫通孔２３は、物干し竿支持部２２Ａ，２２Ｂの下部寄りの位置に形成されており、物干し竿３１を挿入可能な大きさに形成されている。そして、物干し竿支持部２２Ａの貫通孔２３と、物干し竿支持部２２Ｂの貫通孔２３とに渡って、それぞれ物干し竿３１が挿入されている。
【００３４】
物干し竿支持部２２Ａと物干し竿支持部２２Ｂとの間に、水平方向に延びる回転軸２４が設けられている。すなわち、物干し竿支持部２２Ａと物干し竿支持部２２Ｂとが、回転軸２４によって連結されている、回転軸２４は、円柱状に形成されており、物干し竿支持部２２Ａ，２２Ｂにおいて集合住宅の屋内側の端部にそれぞれ固定されている。回転軸２４は、物干し竿支持部２２Ａ，２２Ｂの上部寄りの位置に固定されている。
【００３５】
物干し竿支持部２２Ａと物干し竿支持部２２Ｂとの間には、回転軸２４を介して太陽光発電パネル２５が取り付けられている。パネル２５は、矩形板状に形成されており、その短辺方向の一端が回転軸２４（可変機構）によって回転可能に支持されている。すなわち、パネル２５は、回転軸２４によって支持された短辺方向の一端を中心として回転可能となっている。そして、パネル２５は、物干し竿支持部２２Ｂの貫通孔２３よりも上方、すなわち物干し竿３１よりも上方に設けられている。換言すれば、物干し竿支持部２２Ｂの貫通孔２３及び物干し竿３１は、パネル２５よりも下方に設けられている。
【００３６】
パネル２５は、その長辺の長さが物干し竿支持部２２Ａ，２２Ｂ間の距離よりも若干短く、その短辺の長さが物干し竿支持部２２Ａ，２２Ｂの長手方向の長さよりも若干長くされている。パネル２５は、その各短辺が物干し竿支持部２２Ａ，２２Ｂの長手方向と同方向となる状態と、その各短辺が鉛直方向に起立した状態とで、それぞれストッパ（図示せず）により固定可能となっている。このとき、太陽に対して物干し竿支持部２２Ｂの貫通孔２３及び物干し竿３１よりも後側となる位置でパネル２５が起立した状態となる。なお、パネル２５を回転させる動作や、パネル２５を固定する動作は、太陽光発電装置２０の使用者によって行われる。
【００３７】
パネル２５は、正方形板状の２つのモジュールから構成されており、これらのモジュールは単結晶又は多結晶のシリコン系の太陽電池を備えている。これらのモジュールでは、ガラス基板が表面に配置されるとともに、ガラス基板の内側の面にシリコンの層が形成されるため、太陽光の反射率が比較的高くなる。また、これらのモジュールでは、太陽光を受光して発電する発電面が両面に設けられている。すなわち、一方のモジュールは表側面に発電面２５Ａを備えるとともに裏側面に発電面２６Ａを備え、他方のモジュールは表側面に発電面２５Ｂを備えるとともに裏側面に発電面２６Ｂを備えている。パネル２５は、各発電面２５Ａ，２６Ａ，２５Ｂ，２６Ｂに照射される太陽光により発電を行う。
【００３８】
パネル２５には、発電された電力を供給するための電気配線（図示せず）が接続されている。電気配線は、パネル２５、回転軸２４、物干し竿支持部２２Ａ、物干し本体２１Ａ、ブラケット１５、壁１１の各内部を順に通っており、住宅内のパワーコンディショナーに接続されている。パネル２５によって発電された電力は、電気配線を通じてパワーコンディショナーへ供給される。そして、パワーコンディショナーは、パネル２５から供給される電力を制御して住宅の各部へ供給する。
【００３９】
次に、こうした構成を備える太陽光発電装置２０の作用効果について説明する。
【００４０】
図３は、太陽光発電パネル２５に照射される太陽光を物干し竿３１に干された洗濯物Ｃ（光反射対象）へ反射させる反射優先向きに、パネル２５の向きを変更した状態を示している。
【００４１】
同図に示すように、反射優先向きでは、パネル２５の板面が鉛直方向となるように、パネル２５が回転軸２４を中心として回転され、ストッパにより固定されている。そして、物干し竿３１にハンガーＨを介して洗濯物Ｃが干されている。このとき、物干し竿３１の上方、すなわち洗濯物Ｃの上方は開放されているため、矢印Ｓ１で示すように太陽光が洗濯物Ｃに直接照射されている。
【００４２】
また、矢印Ｓ２で示すように、太陽光がパネル２５の裏側面に設けられた発電面２６Ａ，２６Ｂに照射されている。このため、発電面２６Ａ，２６Ｂに照射される太陽光により発電が行われ、その発電された電力が電気配線を通じてパワーコンディショナーへ供給される。このとき、発電面２６Ａ，２６Ｂに対する太陽光の入射角（発電面２６Ａ，２６Ｂの法線と太陽光の入射方向とがなす角度）が大きいため、パネル２５の発電効率は比較的低い状態となる。
【００４３】
ここで、矢印Ｓ２で示すように、発電面２６Ａ，２６Ｂに照射される太陽光は、入射角と略等しい反射角で洗濯物Ｃの方向へ反射される。このとき、上述したように、発電面２６Ａ，２６Ｂによる太陽光の反射率は比較的高くなる。したがって、洗濯物Ｃには、矢印Ｓ１で示す太陽光の直射光と、矢印Ｓ２で示す太陽光の反射光とが照射されることとなり、その乾燥を促進させることができる。
【００４４】
図４は、上記反射優先向きにおけるパネル２５の発電効率よりもパネル２５の発電効率が高い発電優先向きに、パネル２５の向きを変更した状態を示している。
【００４５】
同図に示すように、発電優先向きでは、パネル２５の各短辺が物干し竿支持部２２Ａ，２２Ｂの長手方向と同方向となるように、パネル２５が回転軸２４を中心として回転され、ストッパにより固定されている。すなわち、パネル２５の南側の端部が北側の端部よりも低い位置にあり、水平に対するパネル２５の傾斜角度が３０°となっている。このとき、物干し竿３１の上方がパネル２５により覆われているため、物干し竿３１には洗濯物Ｃが干されていない。
【００４６】
そして、矢印Ｓ３で示すように、太陽光がパネル２５の表側面に設けられた発電面２５Ａ，２５Ｂに照射されている。このため、発電面２５Ａ，２５Ｂに照射される太陽光により発電が行われ、その発電された電力が電気配線を通じてパワーコンディショナーへ供給される。このとき、発電面２５Ａ，２５Ｂに対する太陽光の入射角が小さいため、パネル２５の発電効率は比較的高い状態となる。すなわち、太陽光に対するパネル２５の向きが、発電に最適な向きとなる。
【００４７】
なお、発電優先向きでは、物干し竿３１の上方がパネル２５により覆われているため、小雨等の場合に物干し竿３１に洗濯物Ｃを干してもよい。この場合には、パネル２５の発電効率は比較的低くなるものの、洗濯物Ｃの雨よけとしてパネル２５を利用することができる。
【００４８】
以上詳述した本実施形態は以下の利点を有する。
【００４９】
・太陽光発電装置２０では、太陽光発電パネル２５の発電面２５Ａ，２５Ｂ，２６Ａ，２６Ｂに照射される太陽光により発電が行われる。また、回転軸２４を中心としてパネル２５を回転させることによって、太陽光に対するパネル２５の向きが変更される。
【００５０】
ここで、パネル２５の向きが、パネル２５に照射される太陽光を洗濯物Ｃへ反射させる反射優先向きに変更されることにより、パネル２５により反射される太陽光を洗濯物Ｃの乾燥に利用することができる。また、パネル２５の向きが、反射優先向きにおけるパネル２５の発電効率よりもパネル２５の発電効率が高い発電優先向きに変更されることにより、パネル２５による発電を優先させて発電効率を向上させることができる。
【００５１】
その結果、パネル２５の向きが発電優先向きから変更されて発電効率が低下する場合に、パネル２５により反射される太陽光を有効に利用することができる。
【００５２】
・パネル２５の向きが反射優先向きに変更された場合に、パネル２５の裏側面に設けられた発電面２６Ａ，２６Ｂに太陽光が照射されるとともに、これらの発電面２６Ａ，２６Ｂに照射される太陽光が洗濯物Ｃへ反射させられる。このため、反射優先向きにおいて、パネル２５の発電面２６Ａ，２６Ｂに照射される太陽光により発電を行うことができるとともに、パネル２５の発電面２６Ａ，２６Ｂにより反射される太陽光を、洗濯物Ｃの乾燥を促進させるために有効に利用することができる。
【００５３】
・パネル２５の向きが反射優先向きに変更された場合に、発電優先向きにおいて太陽光が照射される表側の発電面２５Ａ，２５Ｂと異なる裏側の発電面２６Ａ，２６Ｂにより、太陽光を反射させることができる。このため、パネル２５の向きを発電優先向きと反射優先向きとで変更する自由度が高くなり、パネル２５の向きを反射優先向きにする場合に、太陽光を反射させる方向を柔軟に設定することができる。すなわち、反射優先向きにおいて、太陽光の入射方向に対して反射方向を大きく変更することができる。
【００５４】
・太陽光発電装置２０は、物干し本体２１Ａ，２１Ｂ及び物干し竿支持部２２Ａ，２２Ｂと一体に設けられている。このため、物干し場の空間を利用して、太陽光発電装置２０を設置することができる。
【００５５】
・集合住宅では、屋根上に全世帯分の太陽光発電パネル２５を設置することが困難であり、これに対して各世帯のバルコニー１０にパネル２５を設置することができる。この場合に、物干し竿支持部２２Ａ，２２Ｂ及び物干し竿３１の上方の空間を利用してパネル２５を設けているため、バルコニー１０の使用可能面積が小さくなることを抑制することができる。さらに、パネル２５の向きを反射優先向きに変更する場合に、太陽に対して洗濯物Ｃよりも後側となる位置でパネル２５を起立させることにより、パネル２５に照射される太陽光を洗濯物Ｃへ容易に反射させることができる。
【００５６】
（第２実施形態）
以下、第２実施形態について、図面を参照しつつ説明する。本実施形態は、独立住宅（一戸建て住宅）の上下階の境界付近おいて、太陽光発電パネルにより発電を行う太陽光発電装置として具体化している。なお、上下階の住人が同一であれば、独立住宅に限らず、集合住宅に適用することもできる。
【００５７】
図５は、太陽光発電装置の概要を示す側面図である。
【００５８】
同図に示すように、独立住宅１１０の南面には壁１１１が設けられている。壁１１１は、平板状に形成されており、住宅１１０の基礎との結合部から垂直に上方へ延びている。壁１１１の１階部分の上部には、窓が開口されており、その窓に窓枠と板ガラスとからなる窓障子１１２が設けられている。壁１１１の２階部分には、窓が開口されており、その窓に窓枠と板ガラスとからなる窓障子１１４が設けられている。住宅１１０の２階には、天井１１３が設けられている。
【００５９】
壁１１１において１階と２階との境界付近には、太陽光発電装置１２０が組み付けられている。太陽光発電装置１２０は、物干し竿支持部１２２Ａ，１２２Ｂ、回転軸２４（可変機構）、太陽光発電パネル１２５、ブラケット１１５、及び電気配線（図示せず）を備えている。なお、太陽光発電装置１２０において、第１実施形態の太陽光発電装置２０と同一の部材については、同一の符号を付すことにより説明を省略する。
【００６０】
物干し竿支持部１２２Ａ，１２２Ｂは、東西方向に所定の間隔をおいて、具体的には１階の窓障子１１２を跨ぐようにして、それぞれブラケット１１５を介して壁１１１に固定されている。このため、物干し竿支持部１２２Ａ，１２２Ｂは、窓障子１１２と略等しい高さに設けられている。
【００６１】
物干し竿支持部１２２Ａ，１２２Ｂは、互いに等しい形状であり、略平行四辺形の平板状に形成されている。物干し竿支持部１２２Ａ，１２２Ｂはそれぞれ、ブラケット１１５との固定部から、独立住宅１１０の屋外方向へ斜め下方に延びている。詳しくは、物干し竿支持部１２２Ａ，１２２Ｂは、水平から斜め３０°下方へ延びている。
【００６２】
物干し竿支持部１２２Ａ，１２２Ｂは、第１実施形態の物干し竿支持部２２Ａ，２２Ｂと同様に形成されている。すなわち、物干し竿支持部１２２Ａ，１２２Ｂにはそれぞれ、複数の貫通孔２３が形成されている。また、物干し竿支持部１２２Ａと物干し竿支持部１２２Ｂとの間に、水平方向に延びる回転軸２４が設けられている。
【００６３】
物干し竿支持部１２２Ａと物干し竿支持部１２２Ｂとの間には、回転軸２４を介して太陽光発電パネル１２５が取り付けられている。このため、パネル１２５は、１階の窓障子１１２と略等しい高さにおいて、短辺方向の一端が回転軸２４（可変機構）によって回転可能に支持されている。また、太陽光発電装置１２０は、独立住宅１１０において太陽光が照射される日向側の側方部に設けられている。そして、太陽光発電装置１２０は、１階の窓障子１１２と略等しい高さに設けられ、２階の窓障子１１４よりも下方に設けられている。
【００６４】
太陽光発電パネル１２５は、以下の点を除いて、第１実施形態の太陽光発電パネル２５と同様に形成されている。すなわち、パネル１２５では、片面にのみ太陽光の発電面が設けられている。詳しくは、パネル１２５において、一方のモジュールは表側面に発電面２５Ａを備え、他方のモジュールは表側面に発電面２５Ｂを備えている。そして、パネル１２５の裏側面には、鏡面部１２６が設けられている。鏡面部１２６は、ガラスの片面にＡｌやＡｇ等の金属を蒸着した鏡によって形成されている。また、パネル１２５は、その各短辺が物干し竿支持部１２２Ａ，１２２Ｂの長手方向と同方向となる状態と、その各短辺が鉛直方向となる状態との間の任意の向きで、ストッパ（図示せず）により固定可能となっている。
【００６５】
パネル１２５には、発電された電力を供給するための電気配線（図示せず）が接続されている。電気配線は、パネル１２５、回転軸２４、物干し竿支持部２２Ａ、ブラケット１１５、壁１１１の各内部を順に通っており、住宅１１０内のパワーコンディショナーに接続されている。
【００６６】
次に、こうした構成を備える太陽光発電装置１２０の作用効果について説明する。
【００６７】
図５において、二点差線で示す太陽光発電パネル１２５の状態は、第１実施形態と同様に、反射優先向きにパネル１２５の向きを変更した状態である。
【００６８】
この場合に、以下の点が第１実施形態と異なっている。すなわち、矢印Ｓ５で示すように、太陽光がパネル１２５の裏側面に設けられた鏡面部１２６に照射され、表側面に設けられた発電面２５Ａ，２５Ｂに照射されないため、パネル１２５の発電効率はかなり低い状態となる。このとき、太陽光は鏡面部１２６により高い反射率で反射されるため、上述した洗濯物Ｃの乾燥をより促進させることができる。
【００６９】
なお、反射優先向きでは、住宅１１０の１階の窓障子１１２に照射される太陽光を遮ることができるため、窓障子１１２から屋内に照射される太陽光を遮りたい場合に、パネル１２５を反射優先向きに変更してもよい。すなわち、パネル１２５の向きを反射優先向きに変更する場合に、パネル１２５を起立させた状態とすることにより、太陽光の入射方向においてパネル１２５よりも後側へ照射される太陽光を遮る構成となっている。具体的には、太陽に対してパネル１２５よりも後側となる位置に建物の窓障子１１２が設けられており、パネル１２５を起立させた状態とすることにより、窓障子１１２へ照射される太陽光を遮る構成となっている。さらに、パネル１２５の角度（向き）を調節することにより、窓障子１１２から屋内に照射される太陽光の量、すなわち採光量を調節することもできる。
【００７０】
また、図５において、実線及び破線で示す太陽光発電パネル１２５の状態は、第１実施形態と同様に、上記反射優先向きにおけるパネル１２５の発電効率よりもパネル１２５の発電効率が高い発電優先向きに、パネル１２５の向きを変更した状態を示している。この場合は、矢印Ｓ４で示すように、パネル１２５の表側面に設けられた発電面２５Ａ，２５Ｂに太陽光が照射され、その作用効果は第１実施形態と同様である。なお、この発電優先向きにおいて、小雨等の場合に洗濯物Ｃを干してもよい。
【００７１】
図６は、パネル１２５の発電面２５Ａ，２５Ｂに照射される太陽光を、住宅１１０の２階の天井１１３（光反射対象）へ反射させる反射優先向きに、パネル１２５の向きを変更した状態を示している。
【００７２】
同図に示すように、この反射優先向きでは、パネル１２５の板面が水平な状態となるように、パネル１２５が回転軸２４を中心として回転され、ストッパにより固定されている。すなわち、パネル１２５の向きを発電優先向きからこの反射優先向きに変更する場合に、パネル１２５の南側の端部を北側の端部に対して相対的に上昇させるとともに、発電優先向きと反射優先向きとで同一の発電面２５Ａ，２５Ｂに太陽光が照射されるように、パネル１２５の向きを変更する。このとき、物干し竿３１の上方がパネル１２５により覆われているため、物干し竿３１には洗濯物Ｃが干されていない。
【００７３】
そして、矢印Ｓ６で示すように、太陽光がパネル２５の表側面に設けられた発電面２５Ａ，２５Ｂに照射されている。このため、発電面２５Ａ，２５Ｂに照射される太陽光により発電が行われ、その発電された電力が電気配線を通じてパワーコンディショナーへ供給される。このとき、発電面２５Ａ，２５Ｂに対する太陽光の入射角が比較的小さいため、上記発電優先向きにおけるパネル１２５の発電効率よりも低いものの、パネル１２５の発電効率は比較的高い状態となる。
【００７４】
ここで、矢印Ｓ６で示すように、発電面２５Ａ，２５Ｂに照射される太陽光は、入射角と略等しい反射角で住宅１１０の２階の窓障子１１４の方向、ひいては住宅１１０の２階の天井１１３の方向へ反射される。すなわち、この反射優先向きでは、パネル１２５に照射される太陽光をパネル１２５よりも上方へ反射させる。このとき、上述したように、発電面２５Ａ，２５Ｂによる太陽光の反射率は比較的高くなる。したがって、パネル１２５の発電面２５Ａ，２５Ｂにより反射される太陽光を、住宅１１０の室内に取り込むことができ、冬季においては太陽光により室内を暖めることができる。なお、住宅１１０の２階の天井１１３に反射される太陽光を、２階の間接照明的に利用することもできる。さらに、パネル１２５の角度（向き）を調節することにより、窓障子１１４から屋内に照射される太陽光の反射光の量を調節することもできる。
【００７５】
図７は、パネル１２５の発電面２５Ａ，２５Ｂに照射される太陽光を、住宅１１０の１階の屋内（光反射対象）へ反射させる反射優先向きに、パネル１２５の向きを変更した状態を示している。
【００７６】
同図に示すように、この反射優先向きでは、パネル１２５において南側の端部が北側の端部よりも高い状態となるように、パネル１２５が回転軸２４を中心として回転され、ストッパにより固定されている。すなわち、パネル１２５の向きを発電優先向きからこの反射優先向きに変更する場合に、パネル１２５の南側の端部を北側の端部に対して相対的に上昇させるとともに、発電優先向きと反射優先向きとで同一の発電面２５Ａ，２５Ｂに太陽光が照射されるように、パネル１２５の向きを変更する。このとき、物干し竿３１に干される洗濯物Ｃの少なくとも一部に太陽光が照射されるため、物干し竿３１に洗濯物Ｃを干してもよい。
【００７７】
そして、矢印Ｓ７で示すように、太陽光がパネル２５の表側面に設けられた発電面２５Ａ，２５Ｂに照射されている。このため、発電面２５Ａ，２５Ｂに照射される太陽光により発電が行われ、その発電された電力が電気配線を通じてパワーコンディショナーへ供給される。このとき、発電面２５Ａ，２５Ｂに対する太陽光の入射角が比較的大きいため、パネル１２５の発電効率は比較的低い状態となる。
【００７８】
ここで、矢印Ｓ７で示すように、発電面２５Ａ，２５Ｂに照射される太陽光は、入射角と略等しい反射角で住宅１１０の１階の窓障子１１２の方向、ひいては住宅１１０の１階の屋内へ反射される。同図から分かるように、パネル１２５の高さと窓障子１１２の高さとが近い場合には、住宅１１０の屋内へ反射される太陽光を屋内の奥の方まで届かせることができる。なお、この反射優先向きでは、パネル１２５に照射される太陽光をパネル１２５よりも下方へ反射させている。
【００７９】
このとき、上述したように、発電面２５Ａ，２５Ｂによる太陽光の反射率は比較的高くなる。したがって、パネル１２５の発電面２５Ａ，２５Ｂにより反射される太陽光を、住宅１１０の１階の照明として利用することができる。さらに、パネル１２５の角度（向き）を調節することにより、窓障子１１２から屋内に照射される太陽光の反射光の量、すなわち採光量を調節することもできる。また、冬季においては太陽光により室内を暖めることができる。
【００８０】
以上詳述した本実施形態は以下の利点を有する。ここでは、第１実施形態と異なる利点について述べる。
【００８１】
・発電優先向きと反射優先向きとで同一の発電面２５Ａ，２５Ｂに太陽光が照射されるようにしつつ、パネル１２５の南側の端部を北側の端部に対して相対的に上昇させることにより、パネル１２５の向きが発電優先向きから反射優先向きに変更される。このため、パネル１２５の発電面２５Ａ，２５Ｂに照射される太陽光を反射させる構成において、反射優先向きを容易に実現することができる。
【００８２】
・パネル１２５に照射される太陽光を洗濯物Ｃに反射させる反射優先向きに、パネル１２５の向きが変更された場合に、パネル１２５において発電面２５Ａ，２５Ｂと反対側の面に照射される太陽光が洗濯物Ｃへ反射させられる。このため、パネル１２５の片面にのみ発電面２５Ａ，２５Ｂを設けることで、両面に発電面２５Ａ，２５Ｂを設ける場合と比較してコストを低減することができるとともに、パネル１２５において発電面２５Ａ，２５Ｂと反対側の面を利用して太陽光を反射させることができる。
【００８３】
・具体的には、パネル１２５は、発電面２５Ａ，２５Ｂと反対側の面に鏡面部１２６を備えるといった構成を採用している。こうした構成によれば、より高い反射率で太陽光を反射させることができる。
【００８４】
・太陽光発電装置１２０は、住宅１１０の壁１１１に設けられており、パネル１２５の向きを反射優先向きに変更する場合に、パネル１２５に照射される太陽光を住宅１１０内へ向けて反射させるように、パネル１２５の向きを変更するといった構成を採用している。こうした構成によれば、パネル１２５により反射される太陽光を、住宅１１０の採光や暖房に利用することができる。
【００８５】
・さらに、パネル１２５の向きを反射優先向きに変更する場合に、パネル１２５に照射される太陽光を住宅１１０の２階の天井１１３へ向けて反射させるように、パネル１２５の向きを変更するといった構成を採用している。こうした構成によれば、パネル１２５により反射される太陽光を、住宅１１０の２階を暖めるためや、間接照明的に利用することができる。
【００８６】
・太陽光発電装置１２０は、パネル１２５に照射される太陽光を住宅１１０へ向けて反射させる反射優先向きと、パネル１２５に照射される太陽光を住宅１１０の反対側へ向けて反射させる反射優先向きとに変更可能である。さらに、太陽光発電装置１２０は、パネル１２５に照射される太陽光をパネル１２５よりも下方へ反射させる反射優先向きと、パネル１２５に照射される太陽光をパネル１２５よりも上方へ反射させる反射優先向きとに変更可能である。したがって、パネル１２５により反射される反射光を幅広く利用することができる。
【００８７】
上記の各実施形態に限定されず、例えば次のように実施することもできる。
【００８８】
・第１実施形態において、太陽光発電パネル２５の表側面に発電面２５Ａ，２６Ｂを備えるとともに、裏側面に鏡面部１２６を備えるようにしてもよい。また、鏡面部１２６に代えて、太陽光の反射率が比較的高い白色の面等を設けてもよい。
【００８９】
・図８に示すように、太陽光発電装置２２０のパネル２２５の表側面（片面）にのみ発電面２５Ａ，２５Ｂを備えるとともに、パネル２２５の側面に設けた溝２２６を回転軸２４に沿わせて、パネル２２５をスライドさせるようにしてもよい。すなわち、パネル２２５をスライドさせることにより、太陽光に対するパネル２２５の向きを変更するスライド手段（可変機構）を備えるようにしてもよい。具体的には、溝２２６は、パネル２２５の側面の長手方向に延びるように形成されており、その両端部において直角方向に延びる切り欠き部２２７が形成されている。そして、パネル２２５を固定する際には、この切り欠き部２２７に回転軸２４が係合される。
【００９０】
こうした構成によれば、発電面２５Ａ，２６Ｂに太陽光が照射されるようにしつつ、太陽光に対するパネル２２５の向きを大きく変更することができる。その結果、パネル２２５の片面にのみ発電面２５Ａ，２５Ｂを設けることで、両面に発電面２５Ａ，２５Ｂを設ける場合と比較してコストを低減することができる。さらに、パネル２２５の向きを発電優先向きと反射優先向きとで変更する自由度が高くなり、パネル２２５の向きを反射優先向きにする場合に、太陽光を反射させる方向を柔軟に設定することができる。
【００９１】
・第２実施形態において、パネル１２５の表側面に発電面２５Ａ，２５Ｂを備えるとともに、裏側面に発電面２６Ａ，２６Ｂを備えるようにしてもよい。
【００９２】
・第２実施形態において、太陽光発電装置１２０を１階の窓障子１１２の下方に設けるようにしてもよい。この場合には、反射優先向きにおいて、パネル１２５により反射される太陽光を住宅１１０の１階の天井へ反射させることが容易になる。また、この反射優先向きにおいて、発電面２５Ａ，２５Ｂに対する太陽光の入射角が小さくなるため、パネル２５の発電効率を比較的高くすることができる。
【００９３】
・第１実施形態において、図７に示す反射優先向きと同様にして、パネル２５の発電面２５Ａ，２５Ｂに照射される太陽光を、住宅の屋内（光反射対象）へ反射させるようにしてもよい。なお、この場合には、パネル２５を、その各短辺が物干し竿支持部２２Ａ，２２Ｂの長手方向と同方向となる状態と、その各短辺が鉛直な状態との間の任意の向きで、ストッパにより固定可能な構成とする。
【００９４】
・第１実施形態において、発電面２５Ａ，２６Ａを備えるモジュール（東側のモジュール）と、発電面２５Ｂ，２６Ｂを備えるモジュール（西側のモジュール）とを、別体で構成してもよい。この場合には、これらのモジュール（すなわち、パネル）の向きを別個に変更することができるため、反射優先向きと発電優先向きとを種々の態様で実現することができる。
【００９５】
・パネル２５，１２５，２２５を回転させる動作や、パネル２５，１２５，２２５を固定する動作を、電動アクチュエータ等で行うようにしてもよい。
【００９６】
・第１実施形態及び第２実施形態では、パネル２５，１２５に照射される太陽光を洗濯物Ｃへ反射させるようにしたが、パネル２５，１２５に照射される太陽光を植物へ反射させるようにしてもよい。この場合には、植物の成長を促進させることができる。また、自動車の天井に搭載された太陽光発電パネル等、太陽光を利用するその他のものへ反射させるようにしてもよい。自動車の天井に搭載された太陽光発電パネルへ太陽光を反射させる場合には、自動車のガレージの屋根面に太陽光発電装置を設置し、太陽光発電パネルを起立させた状態でガレージの屋根面が開放されるようにするとよい。
【００９７】
・第１実施形態及び第２実施形態では、太陽光発電装置２０，１２０を住宅の南面に設置したが、太陽光発電装置２０，１２０，２２０を住宅の東面や西面に設置することもできる。それらの場合であっても、太陽光発電パネル２５，１２５，２２５に対する太陽光の入射方向に応じて、反射優先向きと発電優先向きとを適宜変更すればよい。また、太陽光発電装置２０，１２０，２２０において、物干しとしての構成を省略することもできる。そして、太陽光発電装置２０，１２０，２２０を、植物を栽培するハウスや工場等、住宅以外の建物に設置することもできる。
【符号の説明】
【００９８】
１０…バルコニー、１１…壁、２０，１２０，２２０…太陽光発電装置、２２Ａ，２２Ｂ…物干し竿支持部、２４…回転軸（可変機構）、２５，１２５，２２５…太陽光発電パネル、２５Ａ，２５Ｂ，２６Ａ，２６Ｂ…発電面、１１０…独立住宅、１１２，１１４…窓障子、１２６…鏡面部。
【図１】
2011243607.tif 000003
【図２】
2011243607.tif 000004
【図３】
2011243607.tif 000005
【図４】
2011243607.tif 000006
【図５】
2011243607.tif 000007
【図６】
2011243607.tif 000008
【図７】
2011243607.tif 000009
【図８】
2011243607.tif 000010